(57)【要約】【課題】構造が単純で持ち運びが容易であり、スペースの節減、コスト低減に貢献しえるシュレッダー支持フレーム枠構造とシュレッダーを提供する。【解決手段】Ｕ字型の両側部途中を同一方向に屈曲されてなる形状の上部フレーム３と、Ｕ字型の両側部途中を同一方向に屈曲されてなる形状の下部フレーム４とをコネクタ５を介して接続してシュレッダー支持フレーム枠構造を構成し、上部フレーム３の上側に書類細断機構を内蔵している書類細断機ヘッド１が配置され、書類細断機ヘッド１の書類細断機構で細断された細断物を収容する上方が開口している細断物収容箱２の上端側が書類細断機ヘッド１の下端側に取り付けられることにより、シュレッダー支持フレーム枠構造で囲まれる空間内であって、書類細断機ヘッド１の下側になる位置に細断物収容箱２が配置される。【選択図】図１
2008207060.tif 000002
【特許請求の範囲】
【請求項１】
書類細断機構を内蔵している書類細断機ヘッドと、当該書類細断機ヘッドの下側に配置され、当該書類細断機ヘッドの書類細断機構で細断された細断物を収容する上方が開口している細断物収容箱とを備えているシュレッダーを支持するシュレッダー支持フレーム枠構造であって、
当該シュレッダー支持フレーム枠構造は、Ｕ字型の両側部途中を同一方向に屈曲されてなる形状の上部フレームと、Ｕ字型の両側部途中を同一方向に屈曲されてなる形状の下部フレームとを含み、
当該上部フレームの下端側と、下部フレームの上端側とに対して、それぞれ、上端側、下端側が挿脱自在になっているコネクタを介して、当該上部フレームと下部フレームとが接続されて前記シュレッダー支持フレーム枠構造が構成され、
前記上部フレームの上側に前記書類細断機ヘッドが取り付け、取り外し可能に配置されると共に、
前記書類細断機ヘッドの下端側に前記細断物収容箱の上端側が取り付け、取り外し可能に取り付けられることにより、前記コネクタを介して前記上部フレームと下部フレームとが接続されて構成された前記シュレッダー支持フレーム枠構造で囲まれる空間内であって
、前記書類細断機ヘッドの下側になる位置に前記細断物収容箱が配置される
ことを特徴とするシュレッダー支持フレーム枠構造。
【請求項２】
前記上部フレームは平面視でＵ字型である支持パイプの一種であり、水平方向に延びる上部水平支持フレーム部と、当該上部水平支持フレーム部の先端側から鉛直方向下側に向けて延びる上部垂直支持フレーム部とを備え、側面側から見てＬ字の輪郭形状を有していることを特徴とする請求項１記載のシュレッダー支持フレーム枠構造。
【請求項３】
前記下部フレームは平面視でＵ字型である支持パイプの一種であり、水平方向に延びる下部水平支持フレーム部と、当該下部水平支持フレーム部の先端側から鉛直方向上側に向けて延びる下部垂直支持フレーム部とを備え、側面側から見てＬ字の輪郭形状を有していることを特徴とする請求項１又は２記載のシュレッダー支持フレーム枠構造。
【請求項４】
前記コネクタは中空の筒状体であって、上部フレームの上部垂直支持フレーム部の下端側と、下部フレームの下部垂直支持フレーム部の上端側とが、当該筒状体の上端開口、下端開口にそれぞれ挿脱自在に取り付け、取り外しされることにより前記上部フレームと下部フレームとが接続されて前記シュレッダー支持フレーム枠構造が構成されることを特徴とする請求項２又は３記載のシュレッダー支持フレーム枠構造。
【請求項５】
前記書類細断機ヘッドはその両側壁部下端側にそれぞれ水平スライド溝を有し、当該水平スライド溝を前記上部フレームに上部水平支持フレーム部にスライドさせて、前記書類細断機ヘッドを前記上部フレームの上側に取り付け、取り外しすることを特徴とする請求項２乃至４のいずれか一項記載のシュレッダー支持フレーム枠構造。
【請求項６】
前記下部フレームの下部水平支持フレーム部に複数の脚パッドが取り付け、取り外し可能に取り付けられることを特徴とする請求項３乃至５のいずれか一項記載のシュレッダー支持フレーム枠構造。
【請求項７】
Ｕ字型である支持パイプは金属製又は高強度プラスチック製であることを特徴とする請求項２乃至６のいずれか一項記載のシュレッダー支持フレーム枠構造。
【請求項８】
前記書類細断機ヘッドはその下端側にスライド溝機構を備え、前記細断物収容箱はその上端側にスライドレール機構を備え、前記書類細断機ヘッドのスライド溝機構と、前記細断物収容箱のスライドレール機構とにより、前記書類細断機ヘッドの下端側に前記細断物収容箱の上端側が取り付け、取り外し可能に取り付けられることを特徴とする請求項１乃至７のいずれか一項記載のシュレッダー支持フレーム枠構造。
【請求項９】
請求項１乃至８のいずれか一項記載のシュレッダー支持フレーム枠構造の前記上部フレームの上側に書類細断機構を内蔵している書類細断機ヘッドを取り付け、取り外し可能に配置すると共に、当該書類細断機ヘッドの下端側に当該書類細断機ヘッドの書類細断機構で細断された細断物を収容する上方が開口している細断物収容箱の上端側を取り付け、取り外し可能に取り付けることにより、前記シュレッダー支持フレーム枠構造で囲まれる空間内であって、前記書類細断機ヘッドの下側になる位置に前記細断物収容箱が配置されているシュレッダー。
【発明の詳細な説明】
【技術分野】
【０００１】
本発明は事務機器分野に関し、特にオフィス書類などの細断に用いられるシュレッダーを支持するシュレッダー支持フレーム枠構造と、当該シュレッダー支持フレーム枠構造が採用されているシュレッダーに関する。
【背景技術】
【０００２】
種々の事務オートメーション機器は現代生活においてますます普及し、その最も一般的なものがオフィスの書類などを細断することに用いられる書類細断機(paper-breaker)、例えば、シュレッダーである。
【０００３】
このシュレッダーについては、普及数の増大と共に、細断機能の向上や細断屑の収容力向上を目的とする技術改良の提案が多数行われている（例えば、特許文献１参照）。
【０００４】
しかし、現在市販されている書類細断機(paper-breaker)、例えば、シュレッダーは、一般的に完成構造にあり、自由に分解することができず、重量が重いだけでなく、持ち運びと輸送が容易でない。このため、輸送スペースおよび製造コストと輸送コストが増加し、パーソナルコンピュータなどの情報通信機器を利用して、小さなオフィスや自宅などでビジネスを行う事業者（Small Office/Home Office（スモールオフィス・ホームオフィス））、（以下、本明細書において「SOHO」と表すことがある）による使用や、家庭での使用には適していない面がある。
【特許文献１】特開２０００−２４６１２９号公報
【発明の開示】
【発明が解決しようとする課題】
【０００５】
本発明の目的は上記欠点を解消して簡単に分解ができ、構造が単純で持ち運びが容易であり、スペースの節減、コスト低減に貢献しえる書類細断機(paper-breaker)、例えば、シュレッダーを支持するシュレッダー支持フレーム枠構造と、当該シュレッダー支持フレーム枠構造が採用されている書類細断機(paper-breaker)、例えば、シュレッダーを提供することである。
【課題を解決するための手段】
【０００６】
上記目的を達成するために、本発明が提案するシュレッダー支持フレーム枠構造は、書類細断機構を内蔵している書類細断機ヘッドと、当該書類細断機ヘッドの下側に配置され、当該書類細断機ヘッドの書類細断機構で細断された細断物を収容する上方が開口している細断物収容箱とを備えているシュレッダーを支持するものであって、当該シュレッダー支持フレーム枠構造は、Ｕ字型の両側部途中を同一方向に屈曲されてなる形状の上部フレームと、Ｕ字型の両側部途中を同一方向に屈曲されてなる形状の下部フレームとを含み、当該上部フレームの下端側と、下部フレームの上端側とに対して、それぞれ、上端側、下端側が挿脱自在になっているコネクタを介して、当該上部フレームと下部フレームとが接続されて前記シュレッダー支持フレーム枠構造が構成され、前記上部フレームの上側に前記書類細断機ヘッドが取り付け、取り外し可能に配置されると共に、前記書類細断機ヘッドの下端側に前記細断物収容箱の上端側が取り付け、取り外し可能に取り付けられることにより、前記コネクタを介して前記上部フレームと下部フレームとが接続されて構成された前記シュレッダー支持フレーム枠構造で囲まれる空間内であって、前記書類細断機ヘッドの下側になる位置に前記細断物収容箱が配置されることを特徴としている。
【０００７】
前記本発明のシュレッダー支持フレーム枠構造において、前記上部フレームは平面視でＵ字型である支持パイプの一種であり、水平方向に延びる上部水平支持フレーム部と、当該上部水平支持フレーム部の先端側から鉛直方向下側に向けて延びる上部垂直支持フレーム部とを備え、側面側から見てＬ字の輪郭形状を有しているものとすることができる。
【０００８】
また、前記下部フレームは平面視でＵ字型である支持パイプの一種であり、水平方向に延びる下部水平支持フレーム部と、当該下部水平支持フレーム部の先端側から鉛直方向上側に向けて延びる下部垂直支持フレーム部とを備え、側面側から見てＬ字の輪郭形状を有しているものとすることができる。
【０００９】
ここで、前記コネクタは中空の筒状体であって、上部フレームの上部垂直支持フレーム部の下端側と、下部フレームの下部垂直支持フレーム部の上端側とが、当該筒状体の上端開口、下端開口にそれぞれ挿脱自在に取り付け、取り外しされることにより前記上部フレームと下部フレームとが接続されて前記シュレッダー支持フレーム枠構造が構成される形態にすることができる。
【００１０】
また、前記書類細断機ヘッドはその両側壁部下端側にそれぞれ水平スライド溝を有し、当該水平スライド溝を前記上部フレームに上部水平支持フレーム部にスライドさせて、前記書類細断機ヘッドを前記上部フレームの上側に取り付け、取り外しするようにできる。
【００１１】
更に、前記下部フレームの下部水平支持フレーム部に複数の脚パッドが取り付け、取り外し可能に取り付けられる形態にすることができる。
【００１２】
以上の本発明のシュレッダー支持フレーム枠構造において、前述したＵ字型である支持パイプは金属製又は高強度プラスチック製にすることができる。
【００１３】
更に、以上の本発明のシュレッダー支持フレーム枠構造において、前記書類細断機ヘッドはその下端側にスライド溝機構を備え、前記細断物収容箱はその上端側にスライドレール機構を備え、前記書類細断機ヘッドのスライド溝機構と、前記細断物収容箱のスライドレール機構とにより、前記書類細断機ヘッドの下端側に前記細断物収容箱の上端側が取り付け、取り外し可能に取り付けられる形態にすることが出来る。
【００１４】
次に前記目的を達成するため本発明が提案するものは、以上に説明した本発明のシュレッダー支持フレーム枠構造の前記上部フレームの上側に書類細断機構を内蔵している書類細断機ヘッドを取り付け、取り外し可能に配置すると共に、当該書類細断機ヘッドの下端側に当該書類細断機ヘッドの書類細断機構で細断された細断物を収容する上方が開口している細断物収容箱の上端側を取り付け、取り外し可能に取り付けることにより、前記シュレッダー支持フレーム枠構造で囲まれる空間内であって、前記書類細断機ヘッドの下側になる位置に前記細断物収容箱が配置されているものである。
【発明の効果】
【００１５】
本発明によれば、簡単に分解ができ、構造が単純で持ち運びが容易であり、スペースの節減、コスト低減に貢献しえる書類細断機(paper-breaker)、例えば、シュレッダーを支持するシュレッダー支持フレーム枠構造と、当該シュレッダー支持フレーム枠構造が採用されている書類細断機(paper-breaker)、例えば、シュレッダーを提供することである。
【００１６】
本発明のシュレッダー支持フレーム枠構造は、書類細断機構を内蔵している書類細断機ヘッドと、当該書類細断機ヘッドの下側に配置され、当該書類細断機ヘッドの書類細断機構で細断された細断物を収容する上方が開口している細断物収容箱とを備えているシュレッダーを支持するものである。かかるシュレッダー支持フレーム枠構造において、当該シュレッダー支持フレーム枠構造は、Ｕ字型の両側部途中を同一方向に屈曲されてなる形状の上部フレームと、Ｕ字型の両側部途中を同一方向に屈曲されてなる形状の下部フレームとを含み、当該上部フレームの下端側と、下部フレームの上端側とに対して、それぞれ、上端側、下端側が挿脱自在になっているコネクタを介して、当該上部フレームと下部フレームとが接続されて前記シュレッダー支持フレーム枠構造が構成され、前記上部フレームの上側に前記書類細断機ヘッドが取り付け、取り外し可能に配置されると共に、前記書類細断機ヘッドの下端側に前記細断物収容箱の上端側が取り付け、取り外し可能に取り付けられることにより、前記コネクタを介して前記上部フレームと下部フレームとが接続されて構成された前記シュレッダー支持フレーム枠構造で囲まれる空間内であって、前記書類細断機ヘッドの下側になる位置に前記細断物収容箱が配置されるものである。
【００１７】
このような構造であるので、シュレッダー支持フレーム枠構造を構成するＵ字型の両側部途中を同一方向に屈曲されてなる形状の上部フレームと、Ｕ字型の両側部途中を同一方向に屈曲されてなる形状の下部フレームと、コネクタとは、いずれも簡単な構造のものであって、上部フレームと、下部フレームと、コネクタとによってシュレッダー支持フレーム枠構造を簡単に組み立て、また簡単に分解することができる。
【００１８】
そこで、ユーティリティスペースを節減するために単純な操作でその体積を縮小することができる。この組み立て、分解操作は通常の使い方に見合うように便利であり、持ち運びと輸送が容易であるため、輸送スペースおよび製造コストと輸送コストを低減することができ、応用範囲が広く、特に、ＳＯＨＯメンバと家庭での使用に適し、日常の作業と生活での便利さを向上する効果がある。
【発明を実施するための最良の形態】
【００１９】
本発明を詳しく説明するために、以下、添付図面に図示の例を参照して好適実施形態について説明する。
【００２０】
図１乃至図３を参照して説明すると、本発明が提案するシュレッダー支持フレーム枠構造は、図１図示のように、書類細断機構（不図示）を内蔵している書類細断機ヘッド１と、書類細断機ヘッド１の下側に配置され、書類細断機ヘッド１の書類細断機構で細断された細断物を収容する上方（図１中、上側方向）が開口している細断物収容箱２とを備えているシュレッダーを支持するものである。
【００２１】
本発明が提案するシュレッダー支持フレーム枠構造は、Ｕ字型の両側部途中を同一方向に屈曲されてなる形状の上部フレーム３と、Ｕ字型の両側部途中を同一方向に屈曲されてなる形状の下部フレーム４とを含む。
【００２２】
上部フレーム３の下端側（図１中、下側の端）と、下部フレーム４の上端側（図１中、上側の端）とに対して、それぞれ、上端側、下端側が挿脱自在になっているコネクタ５（図１に２個図示されて炒る）を介して、上部フレーム３と下部フレーム４とが、図２図示のように、接続されて本発明のシュレッダー支持フレーム枠構造が構成される。
【００２３】
この上部フレーム３の上側に、図２図示のように、書類細断機ヘッド１が取り付け、取り外し可能に配置される。
【００２４】
また、書類細断機ヘッド１の下端側に細断物収容箱２の上端側が取り付け、取り外し可能に取り付けられる。
【００２５】
これによって、コネクタ５を介して上部フレーム３と下部フレーム４とが接続されて構成された本発明のシュレッダー支持フレーム枠構造で囲まれる空間内であって、書類細断機ヘッド１の下側になる位置に、図３図示のように、細断物収容箱２が配置される。
【００２６】
上部フレーム３は、図４（ａ）図示のように、平面視でＵ字型である支持パイプの一種であり、水平方向に延びる上部水平支持フレーム部３１と、上部水平支持フレーム部３１の先端側（図１中、右側）から鉛直方向下側（図１中、下側）に向けて延びる上部垂直支持フレーム部３２とを備え、図１図示のように、側面側から見てＬ字の輪郭形状を有している。
【００２７】
下部フレーム４は、図４（ｂ）図示のように、平面視でＵ字型である支持パイプの一種であり、水平方向に延びる下部水平支持フレーム部４１と、下部水平支持フレーム部４１の先端側（図１中、右側）から鉛直方向上側（図１中、上側）に向けて延びる下部垂直支持フレーム部４２とを備え、図１図示のように、側面側から見てＬ字の輪郭形状を有している。
【００２８】
コネクタ５は、図５（ａ）図示のように、中空の筒状体であって、上部フレーム３の上部垂直支持フレーム部３２の下端側と、下部フレーム４の下部垂直支持フレーム部４２の上端側とが、当該筒状体の上端開口、下端開口にそれぞれ挿脱自在に取り付け、取り外しされることにより、図５（ｂ）図示のように、上部フレーム３と下部フレーム４とが接続されて本発明のシュレッダー支持フレーム枠構造が構成される。
【００２９】
図５（ａ）、（ｂ）図示の形態では、下部フレーム４の下部垂直支持フレーム部４２の上端側は、小径部４２ａが大径部４２ｂの先端に形成されており、筒状体からなるコネクタ５の下端開口が、図５（ｂ）図示のように、小径部４２ａに嵌装される。
【００３０】
また、上部フレーム３の上部垂直支持フレーム部３２の下端側は、図５（ａ）図示のように、大径部３２ａ、から小径部３２ｂを介して、最先端に大径部３２ｃが形成されている。
【００３１】
筒状体からなるコネクタ５は、溝部２５ａ、２５ｂ、２５ｃを備えており、図５（ｂ）図示のように、筒状体からなるコネクタ５の下端開口を小径部４２ａに嵌装した後、コネクタ５の上端開口に上部垂直支持フレーム部３２の下端側を嵌め込み、次いで、前記の溝部２５ａ、２５ｂ、２５ｃに対応する形状の突部２１ｂ、２２、２１ａを備えている掛止部材２０を、矢印２３（図５（ｂ））のように、溝部２５ａ、２５ｂ、２５ｃにはめ込み、突部２２の先端を小径部３２ｂに掛止する。すなわち突部２２は、その先端が小径部３２ｂに掛止する分、大径部３２ｃに当接する他の突部２５ａ、２５ｃよりも突出して形成されている。
【００３２】
これによって、上部フレーム３の上部垂直支持フレーム部３２は、その下端側をコネクタ５の上端開口から抜き出せないようになる。
【００３３】
一方、上部垂直支持フレーム部３２の下端側をコネクタ５の上端開口から抜き出すには、掛止部材２０を、矢印２３（図５（ｂ））とは反対側に抜き取ることにより、掛止部材２０の突部２２の先端の小径部３２ｂへの掛止を解除することにより、簡単に、上部垂直支持フレーム部３２の下端側をコネクタ５の上端開口から抜き取ることができる。
【００３４】
そして、筒状体からなるコネクタ５の下端開口を、下部フレーム４の下部垂直支持フレーム部４２の上端側から抜き取る。
【００３５】
このようにして簡単に組み立て、分解を行うことが出来る。
【００３６】
書類細断機ヘッド１はその両側壁部下端側にそれぞれ水平スライド溝１１を有し、この水平スライド溝１１を上部フレーム３の上部水平支持フレーム部３１にスライドさせて、書類細断機ヘッド１を上部フレーム３の上側に取り付け、取り外しするようにできる。
【００３７】
例えば、書類細断機ヘッド１を、図１中、右側から、上部フレーム３の上部水平支持フレーム部３１にスライドさせて、図１中、左側に移動させ、図２図示のように、書類細断機ヘッド１を上部フレーム３の上側に取り付けることができる。図２図示の状態から、書類細断機ヘッド１を、図２中、右側にスライド移動さることにより、書類細断機ヘッド１を上部フレーム３から取り外すことができる。
【００３８】
下部フレーム４の下部水平支持フレーム部４１には複数の脚パッド(foot pad)６を取り付け、取り外し可能に取り付けることができる。脚パッド６は、通常、前端（図１中、左側端）の左側と右側にそれぞれ１つの脚パッドがセットされ、後端（図１中、右側端）の左側と右側にそれぞれ１つの脚パッド６がセットされている。
【００３９】
なお、前述した、図４（ａ）、（ｂ）図示のように、Ｕ字型である支持パイプは金属製又は高強度プラスチック製にすることができる。例えば、スチールパイプ、アルミニウムパイプ、銅パイプまたは高強度プラスチックパイプなどによって、上部フレーム３、下部フレーム４を構成することができる。
【００４０】
書類細断機ヘッド１はその下端側にスライド溝機構（例えば、スライド溝１２）を備え、細断物収容箱２はその上端側にスライドレール機構（例えば、スライドレール２１）を備えている。そして、書類細断機ヘッド１のスライド溝機構と、細断物収容箱２のスライドレール機構とにより、書類細断機ヘッド１の下端側に細断物収容箱２の上端側を取り付け、取り外し可能に取り付けることが出来る。
【００４１】
例えば、図２図示のように書類細断機ヘッド１を上部フレーム３の上側に取り付けた後、細断物収容箱２のスライドレール２１を、書類細断機ヘッド１のスライド溝１２にスライドさせて、図１中、左側から右側に向けて細断物収容箱２を移動させることにより、図３図示のように、書類細断機ヘッド１の下端側に細断物収容箱２の上端側を取り付けることができる。
【００４２】
細断物収容箱２を書類細断機ヘッド１の下端側から取り外すには、図３図示の状態から、細断物収容箱２のスライドレール２１を、書類細断機ヘッド１のスライド溝１２にスライドさせつつ、細断物収容箱２を、図３中、右側から左側に向けて移動させる。これによって図２図示の状態になる。
【００４３】
こうして、本発明のシュレッダー支持フレーム枠構造の上部フレーム３の上側に書類細断機構（不図示）を内蔵している書類細断機ヘッド１を取り付け、取り外し可能に配置し、書類細断機ヘッド１の下端側に書類細断機ヘッド１の書類細断機構で細断された細断物を収容する上方が開口している細断物収容箱２の上端側を取り付け、取り外し可能に取り付けて、図３図示のように、シュレッダー支持フレーム枠構造で囲まれる空間内であって、書類細断機ヘッド１の下側になる位置に細断物収容箱２が配置されている本発明のシュレッダーとすることができる（図３）。
【００４４】
使用時には、本発明による本発明のシュレッダー支持フレーム枠構造、シュレッダーの組み立ては、例えば、次のように行なわれる。
【００４５】
（１）上部フレーム３と下部フレーム４を２個のコネクタ５を介して接続して本発明のシュレッダー支持フレーム枠構造を組み立てる。ここで、安定を図るため、脚パッド６を下部フレーム４の下部水平支持フレーム部４１に取り付ける。
【００４６】
（２）前記のようにして組み立てた本発明のシュレッダー支持フレーム枠構造に対して、書類細断機ヘッド１の両側壁部下端側にそれぞれ配備されている水平スライド溝１１を、図１中、右側から、上部フレーム３の上部水平支持フレーム部３１にスライドさせて、図１中、左側に移動させ、図２図示のように、書類細断機ヘッド１を上部フレーム３の上側に取り付ける。
【００４７】
（３）図２図示のように書類細断機ヘッド１を上部フレーム３の上側に取り付けた後、細断物収容箱２のスライドレール２１を、書類細断機ヘッド１のスライド溝１２にスライドさせて、図１中、左側から右側に向けて細断物収容箱２を移動させることにより、図３図示のように、書類細断機ヘッド１の下端側に細断物収容箱２の上端側を取り付ける。
【００４８】
従来のシュレッダーでは、上方が開口している細断物収容箱が床面上に配置され、この細断物収容箱の上に書類細断機構を内蔵している書類細断機ヘッドが配置されるのが一般的であって。
【００４９】
しかし本発明においては、平面視でＵ字型（図４（ａ））である支持パイプの一種で、水平方向に延びる上部水平支持フレーム部３１と、上部水平支持フレーム部３１の先端側（図１中、右側）から鉛直方向下側（図１中、下側）に向けて延びる上部垂直支持フレーム部３２とを備え、側面側から見てＬ字の輪郭形状（図１）を有している、Ｕ字型の両側部途中を同一方向に屈曲されてなる形状の上部フレーム３と、  図示のように、平面視でＵ字型（図４（ｂ））である支持パイプの一種で、水平方向に延びる下部水平支持フレーム部４１と、下部水平支持フレーム部４１の先端側（図１中、右側）から鉛直方向上側（図１中、上側）に向けて延びる下部垂直支持フレーム部４２とを備え、側面側から見てＬ字の輪郭形状（図１）を有している、Ｕ字型の両側部途中を同一方向に屈曲されてなる形状の下部フレーム４とが、２個のコネクタ５によって接続されてシュレッダー支持フレーム枠構造が構成され、上部フレーム３の上側に書類細断機ヘッド１が取り付け、取り外し可能に配置され（図２）、書類細断機ヘッド１の下端側に細断物収容箱２の上端側が取り付け、取り外し可能に取り付けられ、コネクタ５を介して上部フレーム３と下部フレーム４とが接続されて構成された本発明のシュレッダー支持フレーム枠構造で囲まれる空間内であって、書類細断機ヘッド１の下側になる位置に細断物収容箱２が配置される（図３）。
【００５０】
これによって、書類細断機構（不図示）を内蔵している書類細断機ヘッド１は、本発明のシュレッダー支持フレーム枠構造によって安定的に支持される。
【００５１】
また、書類細断機ヘッド１と、下部フレーム４の下部水平支持フレーム部４１が置かれる床面との間には、細断物収容箱２を配備するための空間がシュレッダー支持フレーム枠構造によって形成される。
【００５２】
そして、図２図示のように書類細断機ヘッド１を上部フレーム３の上側に取り付けた後、細断物収容箱２のスライドレール２１を、書類細断機ヘッド１のスライド溝１２にスライドさせて、図１中、左側から右側に向けて細断物収容箱２を移動させることにより、図３図示のように、コネクタ５を介して上部フレーム３と下部フレーム４とが接続されて構成された本発明のシュレッダー支持フレーム枠構造で囲まれる空間内であって、書類細断機ヘッド１の下側になる位置に細断物収容箱２を配置することができる。
【００５３】
本発明のシュレッダー支持フレーム枠構造は構造が単純で、簡単に組み立て、分解することが可能である。また、体積はユーティリティスペースを節減するために単純な操作で縮小することができ、その重量は大幅に軽量化され、折り畳みが容易であり、持ち運びと輸送が容易であるので、輸送スペースおよび製造コストと輸送コストを低減することができ、応用範囲が広く、特にＳＯＨＯメンバと家庭の使用に適しているので、日常の作業と生活の便宜を向上している。
【００５４】
以上、好適実施形態を参照して本発明を具体的に図示し、説明してきたが、当然に理解されるように本発明の精神と範囲を逸脱しない限り形体と細部において種々の変更を行なうことが可能である。従って、当然に理解されるように、これらの実施形態は単なる例示であり、本発明を限定するものではない。
【図面の簡単な説明】
【００５５】
【図１】本発明によるシュレッダー支持フレーム枠構造を示す分解図。
【図２】細断物収容箱が装着されていないときの本発明によるシュレッダー支持フレーム枠構造を示す概略図。
【図３】細断物収容箱が装着されているときの本発明によるシュレッダー支持フレーム枠構造及び本発明のシュレッダーを示す概略図。
【図４】（ａ）上部フレーム示す概略図、（ｂ）下部フレーム示す概略図。
【図５】コネクタによる上部フレームと下部フレームの取り付け、取り外し可能な接続を説明する概略図であって、（ａ）は接続される前の状態を説明する概略図、（ｂ）は接続されている状態を説明する概略図、（ｃ）は掛止部材の平面図。
【符号の説明】
【００５６】
１  書類細断機ヘッド
２  細断物収容箱
３  上部フレーム
４  下部フレーム
５  コネクタ
６  脚パッド
１１  水平スライド溝
１２  スライド溝
２１  スライドレール
３１  上部水平支持フレーム部
３２  上部垂直支持フレーム部
４１  下部水平支持フレーム部
４２  下部垂直支持フレーム部
【図１】
2008207060.tif 000003
【図２】
2008207060.tif 000004
【図３】
2008207060.tif 000005
【図４】
2008207060.tif 000006
【図５】
2008207060.tif 000007